(57)【要約】【課題】情報が記録された複数枚の記録媒体に加筆を行った場合に、どの頁のどの箇所に加筆がなされたかを関係付けた、精度の高い情報を電子データとして記憶する、使用者の使い勝手がよい筆記情報記録装置を提供する。【解決手段】記録媒体３０を固定する記録媒体固定枠２５と、記録媒体に手書きによる情報を書き込むとともに、位置信号を発出する位置信号発出部１と、記録媒体に記された所定の識別記号３１を読み取る識別記号読取部９、位置信号に基づいて、記録媒体に書き込まれた情報の位置座標を検出する書込位置検出部３Ｒ，３Ｌ、および位置座標と識別記号とを関係付けて記憶する情報処理装置を有する検出ユニット１５とを備えた。【選択図】  図２
2004362337.tif 000002
【特許請求の範囲】
【請求項１】
記録媒体を所定の位置に固定する記録媒体固定枠と、
前記記録媒体固定枠に固定された記録媒体に手書きによる情報を書き込むとともに、該情報の書き込み位置を知らせる位置信号を発出する位置信号発出部と、前記記録媒体固定枠により固定された前記記録媒体に記された所定の識別記号を読み取る識別記号読取部、前記位置信号発出部から発出された前記位置信号に基づいて、該記録媒体に書き込まれた前記情報の位置座標を検出する書込位置検出部、および該書込位置検出部により検出された該位置座標と該識別記号読取部により読み取られた該識別記号とを関係付けて記憶する情報処理装置を有する検出ユニットと、を備えたことを特徴とする。
【請求項２】
前記検出ユニットは、前記記録媒体固定枠に着脱自在に固定されるものであることを特徴とする請求項１記載の筆記情報記録装置。
【請求項３】
前記記録媒体固定枠は、該記録媒体固定枠に固定される記録媒体の４辺のうちの少なくとも３辺に接触する平面部材を有し、
前記検出ユニットは、前記平面部材に接触する記録媒体の３辺のうちの何れかの辺に対向する、該平面部材上の所定の位置に固定されることを特徴とする請求項２記載の筆記情報記録装置。
【請求項４】
前記書込位置検出部は、前記検出ユニットが固定された位置を基準として前記位置座標を検出するものであって、前記情報処理装置は、前記書込位置検出部により検出された前記位置座標を、前記記録媒体固定枠に固定された記録媒体を基準とする位置座標に変換するテーブルを有することを特徴とする請求項１記載の筆記情報記録装置。
【請求項５】
前記記録媒体は、該記録媒体の少なくとも２箇所に前記識別記号が記されたものであることを特徴とする請求項１記載の筆記情報記録装置。
【請求項６】
前記識別記号は、前記記録媒体に予め記録された原情報の内容をあらわす情報を含むものであることを特徴とする請求項１記載の筆記情報記録装置。
【請求項７】
前記識別記号は、該識別記号が記された記録媒体に手書きによる情報を書き込む者が特定される情報を含むものであることを特徴とする請求項１記載の筆記情報記録装置。
【請求項８】
前記識別記号は、該識別記号が記された記録媒体に手書きによる情報を書き込む者の利腕に関する情報を含むものであることを特徴とする請求項７記載の筆記情報記録装置。
【請求項９】
前記情報処理装置は、記録媒体に手書きによる情報を書き込む者が特定される情報を予め記憶するメモリ、および前記識別記号読取部により読み取られた前記識別記号に含まれる前記情報と該メモリに予め記憶された該情報とが一致するか否かを判定する判定部を備えたことを特徴とする請求項７記載の筆記情報記録装置。
【請求項１０】
前記検出ユニットは、情報を表示する表示部を有し、前記識別記号読取部により読み取られた前記識別記号に含まれる情報の全部、または一部を該表示部に表示することを特徴とする請求項６から８のうち何れか１項記載の筆記情報記録装置。
【請求項１１】
前記検出ユニットは、情報を表示する表示部を有し、該表示部に前記判定部の判定結果を表示することを特徴とする請求項９記載の筆記情報記録装置。
【請求項１２】
前記記録媒体固定枠は、固定される記録媒体の寸法に合わせて該記録媒体固定枠の寸法を自在に変化させることを特徴とする請求項１記載の筆記情報記録装置。
【請求項１３】
前記情報処理装置は、関係付けて記憶する前記位置座標と前記識別記号とを、接続されたネットワークに送信する通信機能部を備えたことを特徴とする請求項１記載の筆記情報記録装置。
【請求項１４】
前記記録媒体は、フイルム相互間にサーモクロミック材からなる表示層が挟持され、該表示層の加熱された部分に画像が記録されるデジタルペーパであって、
前記記録媒体固定枠に固定された前記デジタルペーパの、前記位置信号発出部により手書きによる情報が書き込まれた書き込み位置を加熱する加熱部を備えたことを特徴とする請求項１記載の筆記情報記録装置。
【発明の詳細な説明】
【０００１】
【発明の属する技術分野】
本発明は、クロミック材、又は液晶材をフィルムで挟持した記録媒体、あるいは紙からなる記録媒体に記録された原情報に手書きで加筆した情報を、原情報と関係付けて記憶することが可能な筆記情報記録装置に関する。
【０００２】
【従来の技術】
従来、情報機器を用いて作成した文書などを、ハードコピーする方法としては、その作成した文書などのデータをプリンタに送り、インクやトナーを用いて紙にプリントしたり、それをさらに複写機でトナーを用いてコピーする方法や、作成した文書などのデータを光、熱、又は電気エネルギーに変換し、そのエネルギーを用いてクロミック材、又は液晶材をフィルムで挟持したデジタルペーパに記録する方法などが知られている。
【０００３】
しかしながら、会議資料や原稿の作成、あるいは創造的活動の過程において、文書やグラフ、あるいはデザインなどがプリントされた多数の記録媒体に対して手書きにより加筆を行った場合に、多数の記録媒体のうちのどの頁にどのような加筆がなされたかを整理された情報として把握したいときがあるが、きわめて手間ひまがかかるのが現状である。
【０００４】
そこで、例えばサーモクロミック材をフィルムで挟持した、予め情報が記録されたデジタルペーパをヒートパネル上に載置し、手書きにより情報を入力することができる入力部を用いて加筆することにより、その入力部の動きをデジタイザで検出する。そして、検出された入力部の動きに合わせてヒートパネルを加熱し、デジタルペーパに手書き入力された情報を記録表示するとともに、デジタイザに装着されたメモリチップに、デジタイザで検出されたデータをメモリするものがある（特許文献１参照）。
【０００５】
この技術によれば、書き込みや消去が自在なデジタルペーパに手書き入力された情報を、メモリチップに記憶したり、記憶した手書き入力情報をデジタルペーパに一括表示したり情報機器に送信することができるので、紙を消費することなく手書き情報を整理することができる上、手書きされた情報をメモリに蓄積することができるという利点がある。
【０００６】
またボードの表面に多数の圧力センサを配置し、ボードの上に載置した、原情報が記録された紙媒体の上からペンでボードを押圧して加筆すると、その加筆情報を圧力センサで検知して記憶するとともに、紙媒体を保持するクリップに、紙媒体に付された識別記号の検出部を設け、その識別記号を加筆情報と一緒に記憶するものがある（特許文献２参照）。
【０００７】
この技術によれば、紙媒体１枚ごとの加筆情報を記憶するのには便利であるが、複数の紙媒体があるときに、特定の紙媒体に加筆された情報を読み出すことは出来ないという欠点がある。
【０００８】
そこで、識別記号が付されたデジタルペーパや紙媒体など、複数の記録媒体に加筆された情報をデジタイザなどで検出するとともに、識別記号をバーコードリーダで読み取り、それらを関係付けてメモリに格納することにより、複数枚の記録媒体に加筆された情報の中から、特定の記録媒体に加筆された情報を取り出すことができるようにしたものがある（特許文献３参照）。
【０００９】
【特許文献１】特開平９−１０１８６４号公報（段落番号００１０〜段落番号００３０、図１〜図１２）
【００１０】
【特許文献２】特開平７−２００１３４号公報（段落番号００２５〜段落番号００６６、図１〜図５）
【００１１】
【特許文献３】特開２０００−１１２６４６号公報（段落番号００３５〜段落番号００６７、図１〜図１７）
【００１２】
【発明が解決しようとする課題】
しかしながら、記録媒体に手書きする情報を検出するデジタイザは、所定の２次元平面上の座標位置を基準にして、手書き情報を検出するので、載置された記録媒体が所定の位置からずれると、実際に情報が記録された位置と検出された情報の位置とがずれてしまうという問題がある。また、この装置により原情報と加筆情報とを関係付けて記憶することができるのは、予め固定されたサイズの記録媒体に限られる。
【００１３】
本発明は、上記事情に鑑み、情報が記録された複数枚の記録媒体に加筆を行った場合に、どの頁のどの箇所に加筆がなされたかを関係付けた、精度の高い情報を電子データとして記憶することができる上、使用者の使い勝手がよい筆記情報記録装置を提供することを目的とする。
【００１４】
【課題を解決するための手段】
上記目的を達成する本発明の筆記入力装置は、記録媒体を所定の位置に固定する記録媒体固定枠と、
上記記録媒体固定枠に固定された記録媒体に手書きによる情報を書き込むとともに、該情報の書き込み位置を知らせる位置信号を発出する位置信号発出部と、上記記録媒体固定枠により固定された上記記録媒体に記された所定の識別記号を読み取る識別記号読取部、上記位置信号発出部から発出された上記位置信号に基づいて、該記録媒体に書き込まれた上記情報の位置座標を検出する書込位置検出部、および該書込位置検出部により検出された該位置座標と該識別記号読取部により読み取られた該識別記号とを関係付けて記憶する情報処理装置を有する検出ユニットと、を備えたことを特徴とする。
【００１５】
このように記録媒体が記録媒体固定枠に固定され、加筆中に記録媒体がずれを起こすことがないので、手書きで書き込まれた情報の位置座標を正確に検出することができる。
【００１６】
ここで、上記検出ユニットは、上記記録媒体固定枠に着脱自在に固定されるものであることが好ましい。
【００１７】
また、上記記録媒体固定枠は、該記録媒体固定枠に固定される記録媒体の４辺のうちの少なくとも３辺に接触する平面部材を有し、
上記検出ユニットは、上記平面部材に接触する記録媒体の３辺のうちの何れかの辺に対向する、該平面部材上の所定の位置に固定されることが好ましい。
【００１８】
このように、検出ユニットを着脱したり、記録媒体固定枠の３辺のいずれかに移動することができるので、使用者の使い勝手がよい。
【００１９】
また、上記書込位置検出部は、上記検出ユニットが固定された位置を基準として上記位置座標を検出するものであって、上記情報処理装置は、上記書込位置検出部により検出された上記位置座標を、上記記録媒体固定枠に固定された記録媒体を基準とする位置座標に変換するテーブルを有することが好ましい。
【００２０】
このように、変換テーブルを持つことにより、検出ユニットが移動したり、記録媒体のサイズが変化したときにも容易に対応できる。
【００２１】
また、上記記録媒体は、該記録媒体の少なくとも２箇所に上記識別記号が記されたものであることが好ましい。
【００２２】
少なくとも２箇所に識別記号が記されていれば、検出ユニットの位置を検出することができる。
【００２３】
また、上記識別記号は、上記記録媒体に予め記録された原情報の内容をあらわす情報を含むものであることが好ましい。
【００２４】
原情報の内容をあらわす、たとえばタイトルなどが含まれることにより、使用者が原情報を読み取ることなく簡易に情報を通知できる。
【００２５】
また、上記識別記号は、該識別記号が記された記録媒体に手書きによる情報を書き込む者が特定される情報を含むものであることも好ましく、上記識別記号は、該識別記号が記された記録媒体に手書きによる情報を書き込む者の利腕に関する情報を含むものであることも好ましい。
【００２６】
このように、使用者を特定する、たとえばＩＤ番号や利腕情報が含まれていれば、この装置の使用者を限定したり、検出ユニットの配置位置を特定することができる。
【００２７】
また、上記情報処理装置は、記録媒体に手書きによる情報を書き込む者が特定される情報を予め記憶するメモリ、および上記識別記号読取部により読み取られた上記識別記号に含まれる上記情報と該メモリに予め記憶された該情報とが一致するか否かを判定する判定部を備えたことも好ましい態様である。
【００２８】
このように、使用者の情報を予め登録するとともに、その情報と識別記号とを照合することにより、使用者を限定することができる。
【００２９】
さらに、上記検出ユニットは、情報を表示する表示部を有し、上記識別記号読取部により読み取られた上記識別記号に含まれる情報の全部、または一部を該表示部に表示することが好ましく、上記検出ユニットは、情報を表示する表示部を有し、該表示部に上記判定部の判定結果を表示することも好ましい。
【００３０】
このように、たとえば液晶パネルなどに識別記号に含まれる情報や、判定部の判定結果を表示すれば、使用者の使い勝手がよい。
【００３１】
また、上記記録媒体固定枠は、固定される記録媒体の寸法に合わせて該記録媒体固定枠の寸法を自在に変化させることが好ましい。
【００３２】
このように、記録媒体固定のサイズを調整可能にすることにより、任意のサイズの記録媒体に適用できる。
【００３３】
また、上記情報処理装置は、関係付けて記憶する上記位置座標と上記識別記号とを、接続されたネットワークに送信する通信機能部を備えたことも好ましい態様である。
【００３４】
このように、接続されたネットワークに送信する通信機能部を備えれば、外部の情報機器に、加筆された情報を送り、原原稿に上書きすることができる。
【００３５】
さらに、上記記録媒体は、フイルム相互間にサーモクロミック材からなる表示層が挟持され、該表示層の加熱された部分に画像が記録されるデジタルペーパであって、
上記記録媒体固定枠に固定された上記デジタルペーパの、上記位置信号発出部により手書きによる情報が書き込まれた書き込み位置を加熱する加熱部を備えたことも好ましい。
【００３６】
このように、記録媒体がデジタルペーパであっても、たとえばヒートパネルなどを配備することにより、紙媒体と同様に適用することができる。
【００３７】
【発明の実施の形態】
以下、本発明の筆記情報記録装置の実施形態について説明する。
（第１の実施形態）
図１および図２は、本発明の第１の実施形態の筆記情報記録装置を示す概略構成図であり、図１は筆記情報記録装置の分解図であり、図２は筆記情報記録装置の使用状態を示す図である。
【００３８】
図１および図２に示す第１の実施形態の筆記情報記録装置は、基板２０の３方の辺を囲うことにより、あらかじめプリントされた情報３３が記録された記録媒体３０を固定する記録媒体固定枠２５と、記録媒体固定枠２５により固定された記録媒体３０に手書きによる情報を書き込むことができる筆記具としての機能および筆記具の先端部から赤外光と超音波信号とを発出して、記録媒体に書き込まれる情報の書き込み位置を通知する機能を有する位置信号発出部１と、記録媒体３０に記された識別記号としてのバーコード３１および記録媒体３０に書き込まれた手書き情報３２を検出し、それらの情報を関係付けて記憶する検出ユニット１５とを備えている。
【００３９】
検出ユニット１５は、記録媒体３０に記されたバーコード３１に、内蔵するＬＥＤから光を照射し、バーコード３１を読み取るラインＣＣＤからなる識別記号読取部９と、位置信号発出部１から発出された赤外光を検出する受光素子を有する受光部２、および位置信号発出部１から発出された超音波を検出するマイクを有し、加筆情報を検出する、離れた２地点それぞれに設置された書込位置検出部３Ｒ、３Ｌと、情報を表示する表示部７と、書込位置検出部３Ｒ，３Ｌにより検出された加筆情報と識別記号読取部９により読み取られたバーコード３１の情報とを関係付けて記憶する、通信機能部８を有する図に表れない情報処理装置と、記録媒体固定枠２５に固定した記録媒体３０を記録媒体固定枠２５に保持する保持部１０とを一体的に備えている。
【００４０】
ここで、本実施形態では、識別記号としてバーコード３１が用いられ、そのバーコード３１にＬＥＤから光を照射し、その反射光をラインＣＣＤで読取るように構成されている。しかし、ＬＥＤからの光に代えてレーザ光を用いてもよく、さらにバーコードに代えて二次元コードを用いてもよい。ただし、二次元コードを用いる場合には、ラインＣＣＤに代えて、ＣＣＤやＣＭＯＳなどのエリアセンサが用いられる。
【００４１】
本実施形態の筆記情報記録装置を用いて記録媒体３０に加筆するときは、図２に示すように、記録媒体固定枠２５に固定され保持部１０により保持された複数の記録媒体３０をめくり、加筆したい記録媒体３０が最上部にくるようにする。
そして、位置信号発出部１を使って、既にプリントされている情報３３のうえに加筆する。この場合、加筆したい記録媒体３０には、バーコード３１が付されているので識別記号読取部９は、ＬＥＤから光を照射してそのバーコード３１を読取る。また、受光部２は、位置信号発出部１から発出される赤外光を検出し、書込位置検出部３Ｒ，３Ｌは、位置信号発出部１から赤外光と同時に発出された超音波信号をそれぞれ検出する。そして、図に現れない情報処理装置において、検出された赤外光の受光時間と超音波信号の受信時間との時間差から、書込位置検出部３Ｒ，３Ｌが設けられた２地点それぞれと位置信号発出部１との間の距離を求め、位置信号発出部１が動くのに伴って記録媒体３０に加筆された情報を、二次元平面上の位置座標を表すデータとして検出し、そのデータを識別記号読取部９によりバーコード３１から読みとった情報と関係付けてメモリに記憶する。
【００４２】
なお、受光部２が設けられた位置と書込位置検出部３Ｒ，３Ｌが設けられた位置は一致していないが、超音波信号の速度に対し赤外光の速度は圧倒的に速いので問題にならない。
【００４３】
本実施形態の記録媒体は、紙媒体を用いているが、記録媒体は、紙媒体に限定する必要はなく、例えばフイルム相互間にサーモクロミック材からなる表示層が挟持され、その表示層の加熱された部分に画像が記録されるデジタルペーパであってもよい。ただし、その場合には、基板２０として発熱素子が多数配置されたヒートパネルを用い、位置信号発出部１の先端位置から検出された、座標位置を表すデータに基づいて、対応する発熱素子を加熱することにより、デジタルペーパに加筆する必要がある。
【００４４】
図３は、本実施形態の検出ユニットを示す機能ブロック図である。
【００４５】
図３に示す検出ユニット１５は、情報処理装置１１と、情報を表示する表示部７と、識別記号読取部９と、赤外光の受光素子を有する受光部２と、離れた位置に配置されたマイクと超音波信号の受信回路とを有する書込位置検出部３Ｒ，３Ｌとを備えている。また、情報処理装置１１は、制御部５と、演算処理部４と、メモリ６と、通信機能部８とを有する。
【００４６】
演算処理部４は、識別記号読取部９および書込位置検出部３Ｒ，３Ｌに接続され、制御部５は、表示部７と識別記号読取部９とに接続されている。
【００４７】
表示部７は、液晶（以下、「ＬＣＤ」と称する。）からなる表示パネルからなり、識別記号読取部９でバーコード３１から読取った識別情報などを表示する。
【００４８】
記録媒体固定枠２５に記録媒体３０が固定されると、制御部５からの指令に基づいて、識別記号読取部９は、記録媒体３０に記録されたバーコード３１から情報を読み取り、演算処理部４は、その読取った情報のうちの、例えば記録媒体３０に既にプリントされている情報のタイトルなどを抽出し、制御部５に通知する。制御部５は、演算処理部４で抽出した情報を表示部７に表示させる。ユーザーは、表示部７に表示されたタイトルから、その記録媒体３０に既にプリントされている情報を確認し、位置信号発出部１を用いて、その記録媒体３０の必要か所に加筆を行う。例えば、図２に示すように、記録媒体３０に「１２３４５６７８」と記録されている部分にアンダーラインを加筆すると、そのアンダーラインを記す筆記具の先端から発出された赤外光は、受光部２に備える受光素子で受光され、受光信号が演算処理部４に送られる。また、識別記号読取部３Ｒ，３Ｌの２箇所それぞれに配置されたマイクで受信された受信信号それぞれも演算処理部４に送られる。演算処理部４は、制御部５の指令に基づいて、受光部２から送られた受光信号および識別記号読取部３Ｒ、３Ｌそれぞれから送られた受信信号に基づいて、アンダーラインを付す位置信号発出部１の位置座標を表すデータを求める。演算処理部４で求めたデータは、制御部５の指令に基づいてメモリ６に記憶される。また、メモリ６に記憶されたデータは、制御部５の指令により、通信機能部８を介して、例えば外部の情報機器に送られる。
【００４９】
図４は、本実施形態の検出ユニットを記録媒体固定枠に固定する方法を示す図である。
【００５０】
図４に示すように、本実施形態の検出ユニット１５は、識別記号読取部９、書込位置検出部３Ｒ，３Ｌ、表示部７、および通信機能部８が配置された直方体をなす部分と、その直方体をなす部分の識別記号読取部９および書込位置検出部３Ｒ、３Ｌが配置された面に接合され、保持部１０が配置された直方体をなす部分とによりＬ字形に構成されている。このＬ字形をなす検出ユニット１５は、記録媒体固定枠２５の３方を囲むいずれの辺にも、識別記号読取部９および書込位置検出部３Ｒ、３Ｌが配置された面を内向きにして設置することが可能なように構成され、記録媒体固定枠２５に接する面側に、記録媒体固定枠２５に設けられたネジ孔２６に対応させてネジを挿入する、図に現れない孔が設けられている。
【００５１】
この検出ユニット１５を、記録媒体固定枠２５に取り付ける場合には、記録媒体３０が固定される面の裏面側に、記録媒体固定枠２５を介して検出ユニット１５を固定する、ネジ孔２６が設けられた固定部材２７を当て、記録媒体固定枠２５の表面側に検出ユニット１５を配置してそれぞれのネジ孔２６を整合させ、ネジでしっかりと固定する。
【００５２】
このように、検出ユニット１５が記録媒体固定枠２５にネジでしっかりと固定され、また、記録媒体３０は、記録媒体固定枠２５で水平方向の位置ずれが生じないように固定されるとともに、保持部で上下方向に移動しないよう保持されているので、加筆位置を精度よく検出することができる。
【００５３】
図５〜図７は、記録媒体固定枠の３方を囲む何れかの辺に、検出ユニットを配置した状態を示す図であり、図５（ａ）〜図７（ａ）は、記録媒体固定枠に載置された記録媒体と検出ユニットとの位置関係、図５（ｂ）〜図７（ｂ）は、検出ユニットの配置位置と、書込位置検出部により検出される、位置信号発出部の座標位置との関係を示す。
【００５４】
図５（ａ）〜図７（ａ）に示すように、記録媒体固定枠２５には、記録媒体３０が載置され、記録媒体固定枠２５の３方の辺に対向する、記録媒体の辺のうち図の上辺３５には、バーコードＡ、図の左辺３７にはバーコードＢ、図の右辺３６にはバーコードＣがそれぞれ記録されている。検出ユニット１５は、ユーザの利腕に合わせて、何れかの辺を選択して取り付けることができる。例えば図５（ａ）では、上辺３５に設置され、ユーザの利腕が左右どちらの場合にも対応できるようになっている。また図（ａ）では、左辺３７に設置され、ユーザの利腕が右手の場合に対応する。さらに、図（ａ）では、右辺３６に設置され、ユーザの利腕が左の場合に対応する。したがって、少なくともユーザの利腕などに関する限りにおいては、記録媒体３０の３方に記録されているバーコードＡ、バーコードＢ、バーコードＣは、全て同じ内容の情報が記録されていてもよいし、バーコードＢおよびバーコードＣにはバーコードＡに記録されている情報のほかに、利腕を表す情報を付加しておき、識別記号読取部９で読取った利腕の情報を表示部に表示することにしてもよい。
【００５５】
一方、図５（ｂ）〜図７（ｂ）に示すように、記録媒体３０上の同一位置（ここでは記録媒体３０の下辺をＸ軸、左辺３６をＹ軸とする位置座標において、Ｘ座標がｘ１、Ｙ座標がｙ１）に位置信号発出部１の先端が置かれている。しかし、位置信号発出部１の先端から発出された超音波信号と赤外光とにより、情報処理装置で求めた、２箇所に配置された書込位置検出部３Ｒ，３Ｌからの距離は、（Ｌ２，Ｌ１）（Ｌ４，Ｌ５）（Ｌ６，Ｌ７）と、それぞれ異なる。したがって記録媒体に加筆された位置信号発出部１の先端の位置座標を、位置信号発出部１で検出し情報処理装置で位置座標を求める場合には、検出ユニット１５の配置位置の情報に基づいて位置座標を変換する必要がある。そこで、例えばバーコードＢ、バーコードＣそれぞれに、検出ユニット１５の配置位置の情報を付加しておけばよい。
【００５６】
（第２の実施形態）
第２の実施形態は、第１の実施形態と比べて、記録媒体の３箇所に識別記号としてのバーコードが付され、そのバーコードには、ユーザの利腕情報などユーザを特定する情報が含まれている点、および検出ユニットの情報処理装置は、予めユーザを特定する情報を記憶するメモリと、メモリに記憶している情報とバーコードから読み取った情報との一致、不一致を判定する判定部とを備えている点が相違するが、それ以外の点は共通するので、同一の構成要素には同一の符号を付し、相違点について説明する。
【００５７】
図８は、本実施形態の検出ユニットを示す機能ブロック図である。
【００５８】
図８に示すように、検出ユニット１５は、情報処理装置１２と、情報を表示する表示部７と、識別記号読取部９と、赤外光の受光素子を有する受光部２と、離れた位置に配置されたマイクと超音波信号の受信回路を有する書込位置検出部３Ｒ，３Ｌとを備えており、情報処理装置１２は、制御部５と、演算処理部４と、メモリ６と、比較回路１７と、本発明の判定部に相当する判定回路１８と、通信機能部８とにより構成され、メモリ６には、予めユーザを特定する情報、例えば「利腕情報」などが記憶されている。
【００５９】
演算処理部４は、制御部５と、メモリ６と、識別記号読取部９と、受光部２と、書込位置検出部３Ｒ，３Ｌとに接続され、制御部５は、表示部７と、メモリ６と、演算処理部４と、識別記号読取部９と、判定回路１８とに接続され、判定回路１８は、さらに比較回路１７に接続され、比較回路１７は、さらに識別記号読取部９およびメモリ６に接続されている。
【００６０】
表示部７は、液晶（以下、「ＬＣＤ」と称する。）からなるパネルを有し、識別記号読取部９がバーコードから読取った識別情報などを表示する。
【００６１】
記録媒体固定枠に記録媒体が載置されると、制御部５からの指令に基づいて、識別記号読取部９は、記録媒体に記録されたバーコードからユーザを特定する情報、検出ユニットの配置位置の情報などを読み取り、読取った情報は比較回路１７に送られる。比較回路１７は、メモリ６からユーザを特定する情報を読み出し、読み出した情報と識別記号読取部９から送られた情報とを比較する。判定回路１８は、比較回路１７における比較状態を判定し、比較された項目毎の判定結果を制御部５に通知する。制御部５は、判定回路１８の判定結果に基づいて、予めパターン化してある情報を表示部７に表示させる。
【００６２】
ユーザーは、表示部７に表示された情報に基づいて、例えば検出ユニットの配置位置を変更する。そして、位置信号発出部を用いて、その記録媒体の必要か所に加筆を行う。位置信号発出部を用いて記録媒体に加筆を行うと、位置信号発出部の先端から発出される赤外光が受光部２に備える受光素子で受光され、受光信号が演算処理部４に送られる。また、書込位置検出部３Ｒ、３Ｌそれぞれに配置されたマイクで受信された受信信号それぞれも演算処理部４に送られる。演算処理部４は、制御部５の指令に基づいて、受光部２から送られた受光信号および書込位置検出部３Ｒ、３Ｌそれぞれから送られた受信信号から、位置信号発出部の先端の座標位置を表すデータを求める。演算処理部４で求めたデータは、制御部５の指令に基づいてメモリ６に記憶される。また、メモリ６に記憶されたデータは、制御部５の指令により、通信機能部８を介して、例えば外部の情報機器に送られる。
【００６３】
図９は、表示部に表示させる、予めパターン化してある情報の一例を示す図である。
【００６４】
図９に示すように、記録媒体固定枠２５には、３方にバーコードが付加され、所定の文字（ここでは、「紙ドキュメント  ＡＪＦＵＧＦＯ」「ｈｉｆｏｇｄｆｇｕｉｏ  ｇｕｐｇｉｕｅｒｏｐｇｉ  ｒｅｏｐｆｒ  ｅｏｐｆｋｐｏｅｒ」）が記載された記録媒体３０が載置されている。そして、表示部７と保持部１０とを有し、Ｌ字形をなした検出ユニット１５は、記録媒体固定枠２５の左辺に配置され、利腕は「右手用」となっている。
【００６５】
図９（ａ）は、文書識別情報と、利腕情報と、文書所有者のＩＤ（識別番号）を示す６桁の数字「２６５９９５」と、からなるバーコード３１が、記録媒体の３方に付加され、検出ユニット１５には、文書所有者のＩＤ（識別番号）は登録されていない。したがって、ここでは、「利腕情報」と検出ユニット１５の配置位置との関係は考慮対象外であり、記録媒体３０のバーコード３１から読取った文書所有者のＩＤ（識別番号）から、文書所有者を示す「文書の所有者は服部さんです。」が表示部７に表示される。
【００６６】
図９（ｂ）は、図９（ａ）の場合と比べて、バーコード３１の利腕情報が「左手用」となっている。
【００６７】
したがって、ここでは、「利腕情報」と検出ユニット１５の配置位置との関係が不整合となっているので、検出ユニット１５の配置位置を変更するように促す「右へ設置してください。」が表示部７に表示される。
【００６８】
図９（ｃ）は、図９（ａ）の場合と比べて、「利腕情報」と検出ユニット１５の配置位置との関係は考慮する必要がない状態であるが、検出ユニット１５には、文書所有者のＩＤ（１２３４５６）が予め登録されており、記録媒体３０のバーコード３１から読取った文書所有者のＩＤ（２６５９９５）とは不整合である点が相違している。
【００６９】
したがって、ここでは、この記録媒体固定枠２５に載置した記録媒体３０にプリントされた文書の所有者のＩＤと検出ユニット１５に予め登録されているＩＤとが不整合であるため、使用者に「ｕｎａｂｌｅ  ｔｏ  ｕｓｅ  使用者が違います。」という警告が表示部７に表示される。
【００７０】
ここで、この警告が表示されたときは、情報処理装置の制御部は、加筆された情報の読み取りを停止させてもよいし、「警告」は表示させるが、加筆された情報の読み取りは実行することにしてもよい。
【００７１】
図９（ｄ）は、図９（ａ）の場合と比べて、検出ユニット１５には、文書所有者の「利腕情報」が予め登録されている。また、記録媒体３０の上辺３５には左右いずれの利き腕にも対応可能である旨のバーコードＡ３１が付加され、左辺３７には、利き腕が右手用である旨のバーコードＢ３１が付加され、右辺３６には、利き腕が左手用である旨のバーコードＣ３１が付加されている点が相違している。
【００７２】
したがって、ここでは、検出ユニット１５が左辺３７に配置されており、識別記号読取部９は、利腕が右手用である旨のバーコードＢ３１を読み取るので、予め登録されている文書所有者の「利腕情報」と一致し「使用ＯＫ」が表示部７に表示される。
【００７３】
図９（ｅ）は、図９（ａ）の場合と比べて、検出ユニット１５には、文書所有者の「利腕情報」が予め登録されている。また、記録媒体３０の上辺３５、右辺３６、左辺３７に付加されたバーコード３１には、同じ利腕情報（右手用）が付加されている。
【００７４】
したがって、ここでは、検出ユニット１５が記録媒体の左辺３７に対向する位置に配置されており、識別記号読取部は、利き腕が右手用である旨のバーコード３１を読み取るので、予め登録されている文書所有者の「利腕情報」と一致し「使用ＯＫ」が表示部７に表示される。
【００７５】
図１０は、識別記号読取部によるバーコードの読み取りから、判定回路で判定するまでの処理フローを示す図であり、図１０（ａ）は、「利腕情報」の処理フローであり、図１０（ｂ）は、「使用者ＩＤ」の処理フローである。
【００７６】
図１０（ａ）に示す処理フローのうち、判定回路で判定し表示部に表示するまでの処理は、図１０（ａ）〜図１０（ｅ）を用いた説明と重複するので省略し、それ以後に行う、書込位置検出部で読取った位置座標を記録媒体の位置座標に変換する処理を示す。
【００７７】
図１０（ａ）に示すように、記録媒体が、記録媒体固定枠の所定の位置に固定されると（Ｓ−１）、識別記号読取部のＬＥＤが点灯し、バーコードの読み取りが可能になる（Ｓ−２）。
【００７８】
識別記号読取部の受光素子でバーコードからの反射光を受光し、識別情報が検出される（Ｓ−３）、読み取られた識別情報が処理され、「利腕情報」が抽出される（Ｓ−４）。
【００７９】
そして、「利腕情報」が左手用である場合（Ｓ−５）には、検出ユニットは記録媒体固定枠の右辺に配置されているので、記録媒体に加筆された情報を書込位置検出部で読取った位置座標を記録媒体の位置座標に変換するテーブルとして、検出ユニットの右側設置用のものを用いる演算処理を施す（Ｓ−６）。また、「利腕情報」が右手用である場合（Ｓ−５）には、検出ユニットは記録媒体固定枠の左辺に配置されているので、記録媒体に加筆された情報を書込位置検出部で読取った位置座標を記録媒体の位置座標に変換するテーブルとして、検出ユニットの左側設置用のものを用いる演算処理を施す（Ｓ−８）。さらに、「利腕情報」が左右いずれでもよい両手用の場合（Ｓ−５）には、検出ユニットは記録媒体固定枠の上辺に配置されているので、記録媒体に加筆された情報を書込位置検出部で読取った位置座標を記録媒体の位置座標に変換するテーブルとして、検出ユニットの中心側設置用のものを用いる演算処理を施す（Ｓ−７）。
【００８０】
図１０（ｂ）に示す「使用者ＩＤ」の処理フローは、記録媒体が、記録媒体固定枠の所定の位置に固定されると（Ｓ−１１）、識別記号読取部のＬＥＤが点灯し、バーコードの読み取りが可能になる（Ｓ−１２）。
【００８１】
識別記号読取部の受光素子でバーコードからの反射光を受光し、識別情報が検出されると（Ｓ−１３）、読み取られた識別情報が処理され、「使用者ＩＤ情報」が抽出される（Ｓ−１４）。
【００８２】
そして、抽出された「使用者ＩＤ情報」を、予め登録されている「使用者ＩＤ情報」と比較回路で比較し、それを判定回路で判定して（Ｓ−１５）、両者が不一致である場合には、表示部に「ｕｎａｂｌｅ  ｔｏ  ｕｓｅ！」と表示し（Ｓ−１６）、一致する場合には、「ｐｌｅａｓｅ  ｕｓｅ！」と表示する（Ｓ−１７）。
【００８３】
図１１は、記録媒体に識別情報をプリントする方法の一例を示す図である。
【００８４】
図１１に示すように、プリンタなどを用いて記録媒体に文書などをプリントするときに、その文書と共に識別記号を記録媒体の３方の辺にプリントする場合には、例えばパーソナルコンピュータの印刷ダイアログボックス４０に表示される「使用者を限定しない」、「使用者を限定する」、「自動設定（自動座標演算）」、「右利き（または左側へ設置）で使用」、「左利き（または右側へ設置）で使用」、「どちらでも使用」という項目の中から、該当する項目をマウスなどでチェックすることにより行う。また、使用者のＩＤは、キーボードのテンキーを用いて「社員番号」欄４１に、数字を投入することにより行う。
【００８５】
ここでは、記録媒体に加筆する者を限定することとし、記録媒体に使用者のＩＤを記録するため、「使用者を限定する」をチェックし、「社員番号」欄に使用者のＩＤ番号である、２６５９９５を投入する。
【００８６】
また、ここで示す使用者は、「利腕」に関する制約はないので、記録媒体に加筆したときに、書込位置検出部で読取った座標位置を記録媒体の座標位置に変換するテーブルは、検出ユニットの配置位置に合わせて自動選択すればよいので、「自動設定（自動座標演算）」をチェックする。
【００８７】
そして、印刷ダイアログボックス４０の「印刷」をマウスでクリックすれば、使用者ＩＤ情報を含むバーコードが記録媒体の３方の辺にプリントされる。
（第３の実施形態）
第３の実施形態は、第１の実施形態に比べて、記録媒体固定枠の３方の辺のうち、１つの辺が着脱自在であり、複数の記録媒体は、記録媒体固定枠に設けられた溝に挟み込んで固定する点、および検出ユニットの保持部が内側にスライドして記録媒体を保持する点は相違するが、それ以外の点は共通するので、同一の構成要素には同一の符号を付し、相違点について説明する。
【００８８】
図１２〜図１４は、本実施形態の記録媒体固定枠に複数の記録媒体を固定する手順を示す図である。
【００８９】
図１２および図１３に示すように、３方に辺を有する記録媒体固定枠２５の、図の右側の辺を形成する部材が取り外され、記録媒体固定枠２５は、Ｌ字形をなしている。各辺を形成する部材の互いに対抗する、内側を向いた面にはそれぞれ溝２８が設けられている。また、記録媒体固定枠２５の、図の上方の辺２５ａには、検出ユニット１５を固定する２つのネジ孔２６が設けてある。
【００９０】
Ｌ字形をなす記録媒体固定枠２５の溝２８に、記録媒体３０を挟むとともに、記録媒体固定枠の上辺２５ａに設けられた、２つのネジ孔２６で検出ユニット１５をネジ止めして検出ユニット１５を固定する。
【００９１】
図１４（ａ）および図１４（ｂ）に示すように、記録媒体３０を挟んだ記録媒体固定枠２５のＬ字形をなす部分に、記録媒体固定枠２５の右側の辺を形成する部材２５ｂを、右側の辺を形成する部材２５ｂの溝２８に記録媒体３０が挟み込まれるようにして取り付ける。そして、保持部１０を検出ユニット１５の端に取り付けた後、保持部１０を矢印Ａ方向にスライドさせて、記録媒体３０の左上部を保持する。
【００９２】
このように、複数の記録媒体３０は、記録媒体固定枠２５の３方の辺を構成する部材の溝２８に挟みこまれるとともに、保持部１０により固定されるので、記録媒体３０は位置ずれを生じない。
（第４の実施形態）
第４の実施形態は、第３の実施形態と比べて、記録媒体固定枠２５の３方の辺のうち、１つの辺が着脱自在であるとともに、Ｌ字形をなす２つの辺のうちの左辺が２つの部材により伸縮自在に構成されているので、左辺の長さを記録媒体のサイズに合わせて調整可能である点は相違するが、それ以外の点は共通するので、同一の構成要素には同一の符号を付し、相違点について説明する。
【００９３】
図１５は、本実施形態の記録媒体固定枠を一例として示す図である。
【００９４】
図１５（ａ）および図１５（ｂ）に示すように、記録媒体固定枠２５のＬ字形をなす２つの辺のうちの左辺の一部が伸縮部材２５ｃにより形成されている。
【００９５】
Ｌ字形をなす記録媒体固定枠２５の溝２８に、記録媒体３０を挟み、記録媒体固定枠２５のＬ字形をなす２つの辺のうちの左辺の伸縮部材２５ｃを矢印Ｂ方向に縮めることにより、左辺の長さを記録媒体のサイズに合わせて調整する。
【００９６】
図１６は、本実施形態の記録媒体固定枠を他の例として示す図である。
【００９７】
図１６（ａ）および図１６（ｂ）に示すように、記録媒体固定枠２５のＬ字形をなす２つの辺のうちの左辺が２つの部材２５ｄ、２５ｅにより構成され、２つの部材２５ｄ、２５ｅの接合部分に複数のネジ孔２６が設けてあり、記録媒体のサイズに合わせて記録媒体固定枠２５の左辺のうちの１つの部材２５ｅを、記録媒体固定枠２５の左辺のうちの他方の部材２５ｄに押し込むことにより長さを調整する。
【００９８】
このように記録媒体３０を前もって固定し、検出ユニット１５は後でセッティングできるので、相当量の枚数がある記録媒体３０を小分けし、複数台の筆記情報記録装置で同時に加筆する必要がある業務においては、あらかじめ準備をしておくことが容易になる。
【００９９】
【発明の効果】
以上、説明したように、本発明の筆記情報記録装置によれば、情報が記録された複数枚の記録媒体に加筆を行った場合に、どの頁のどの箇所に加筆がなされたかを関係付けた、精度の高い情報を得ることができる。また加筆を行う人の利腕に合わせて加筆環境を変更したり、加筆する記録媒体のサイズに合わせて、記録媒体を固定する枠を伸縮調整することにより、加筆する人の使い勝手を向上させることもできる。
【図面の簡単な説明】
【図１】本発明の第１の実施形態の筆記情報記録装置を示す概略構成である。
【図２】本発明の第１の実施形態の筆記情報記録装置を示す概略構成である。
【図３】本実施形態の検出ユニットを示す機能ブロック図である。
【図４】本実施形態の検出ユニットを記録媒体固定枠に固定する方法を示す図である。
【図５】記録媒体固定枠の３方を囲む何れかの辺に、検出ユニットを配置した状態を示す図である。
【図６】記録媒体固定枠の３方を囲む何れかの辺に、検出ユニットを配置した状態を示す図である。
【図７】記録媒体固定枠の３方を囲む何れかの辺に、検出ユニットを配置した状態を示す図である。、
【図８】本実施形態の検出ユニットを示す機能ブロック図である。
【図９】表示部に表示させる、予めパターン化してある情報の一例を示す図である。
【図１０】識別記号読取部によるバーコードの読み取りから、判定回路で判定するまでの処理フローを示す図である。
【図１１】記録媒体に識別情報をプリントする方法の一例を示す図である。
【図１２】本実施形態の記録媒体固定枠に複数の記録媒体を固定する手順を示す図である。
【図１３】本実施形態の記録媒体固定枠に複数の記録媒体を固定する手順を示す図である。
【図１４】本実施形態の記録媒体固定枠に複数の記録媒体を固定する手順を示す図である。
【図１５】本実施形態の記録媒体固定枠を一例として示す図である。
【図１６】本実施形態の記録媒体固定枠を他の例として示す図である。
【符号の説明】
１  位置信号発出部
２  受光部
３Ｒ、３Ｌ  書込位置検出部
４  演算処理部
５  制御部
６  メモリ
７  表示部
８  通信機能部
９  識別記号読取部
１０  保持部
１１、１２  情報処理装置
１５  検出ユニット
１７  比較回路
１８  判定回路
２０  基板
２５  記録媒体固定枠
２５ａ  上方の辺
２５ｂ  右側の辺を形成する部材
２５ｃ  伸縮部材
２６  ネジ孔
２７  固定部材
２８  溝
３０  記録媒体
３１  バーコード
３２  手書き情報
３３  プリントされた情報
３５  上辺
３６  左辺
３７  右辺
４０  印刷ダイアログボックス
４１  「社員番号」欄
【図１】
2004362337.tif 000003
【図２】
2004362337.tif 000004
【図３】
2004362337.tif 000005
【図４】
2004362337.tif 000006
【図５】
2004362337.tif 000007
【図６】
2004362337.tif 000008
【図７】
2004362337.tif 000009
【図８】
2004362337.tif 000010
【図９】
2004362337.tif 000011
【図１０】
2004362337.tif 000012
【図１１】
2004362337.tif 000013
【図１２】
2004362337.tif 000014
【図１３】
2004362337.tif 000015
【図１４】
2004362337.tif 000016
【図１５】
2004362337.tif 000017
【図１６】
2004362337.tif 000018